(57)【要約】  本発明は、治療対象の脛骨と大腿骨を含む膝関節に用いられる膝関節置換術（Total Knee Anrthroplasty）に関し、より詳細には、人工膝関節手術時に、脛骨切削ガイドに結合可能な上部と、前記上部と上下にスライディング可能に結合する下部を含み、前記上部は、前記脛骨切削ガイドを前記上部に装着させるカッティングガイド結合部と、前記上部と下部とを連結する連結部を含み、前記下部は、治療対象の足首に固定されて脛骨整列装置を固定する足首鉗子部を含み、前記カッティングガイド結合部は、カッティングガイドに様々な角度で結合又は分離可能であり、前記カッティングガイド結合部は、前記脛骨切削ガイドに上下移動可能に結合可能な締結部材と、前記締結部材をスライディング可能に収容する収容部材を含み、前記締結部材は、締結部材の上端に前記カッティングガイド結合部の挿入方向に突出して前記脛骨切削ガイドに挿入されて結合可能な結合部を含み、前記収容部材は、収容部材の上端に前記カッティングガイド結合部の挿入方向に突出して前記脛骨切削ガイドに挿入されて結合可能な結合部を含み、前記締結部材の結合部は、前記収容部材の結合部に対して間隔調節可能に構成され、脛骨切削ガイドに様々な角度で脱着可能である脛骨整列装置に関する。【選択図】図２
2021530271.tif 000002
【特許請求の範囲】
【請求項１】
膝関節置換術のための脛骨切削ガイドに結合可能な上部、及び前記上部と上下にスライディング可能に結合する下部を含み、
前記上部は、前記脛骨切削ガイドを前記上部に装着させるカッティングガイド結合部、及び前記上部と下部とを連結する連結部を含み、
前記下部は、治療対象の足首に固定されて脛骨整列装置を固定する足首鉗子部を含む、脛骨整列装置。
【請求項２】
前記カッティングガイド結合部は、脛骨切削ガイドに様々な角度で結合又は分離可能である、請求項１に記載の脛骨整列装置。
【請求項３】
前記カッティングガイド結合部は、前記脛骨切削ガイドに上下移動可能に結合可能な締結部材と、前記締結部材をスライディング可能に収容する収容部材とを含む、請求項２に記載の脛骨整列装置。
【請求項４】
前記締結部材は、締結部材の上端に前記カッティングガイド結合部の挿入方向に突出して前記脛骨切削ガイドに挿入されて結合可能な結合部を含み、
前記収容部材は、収容部材の上端に前記カッティングガイド結合部の挿入方向に突出して前記脛骨切削ガイドに挿入されて結合可能な結合部を含み、
前記締結部材の結合部は、前記収容部材の結合部に対して間隔調節可能に構成され、脛骨切削ガイドに様々な角度で脱着可能である、請求項３に記載の脛骨整列装置。
【請求項５】
前記締結部材の結合部と前記収容部材の結合部との間隔が広まって脛骨切削ガイドと強固に結合するロック状態となり、前記締結部材の結合部と前記収容部材の結合部との間隔が狭くなって脛骨切削ガイドと緩く結合する解除状態となることを特徴とする、請求項４に記載の脛骨整列装置。
【請求項６】
前記カッティングガイド結合部は、前記締結部材の結合部と前記収容部材の結合部との間隔を調節するレバー部材を含む、請求項５に記載の脛骨整列装置。
【請求項７】
前記レバー部材は、前記レバー部材の回転を可能にする回転ボディー部と、前記ロック状態で前記締結部材を上側に加圧する板ばね部と、前記レバー部材のロック状態と解除状態を調整可能なハンドル部と、前記ロック状態で前記レバー部材の回転を防止する回転防止段と、前記板ばね部と前記回転ボディー部との間に空間を形成する溝部とを含む、請求項６に記載の脛骨整列装置。
【請求項８】
前記カッティングガイド結合部は、前記解除状態のとき、前記締結部材の結合部と前記収容部材の結合部との間隔を密着させる密着手段を含む、請求項７に記載の脛骨整列装置。
【請求項９】
前記締結部材の結合部は、その一端が上方に突出した突出面を含む結合面を有する、請求項８に記載の脛骨整列装置。
【請求項１０】
前記結合面は、曲面からなり、前記結合部の内側に凹入した凹面と、前記凹面から延長形成されて前記結合部の外側に突出した凸面を含み、前記凸面は突出面を構成する、請求項９に記載の脛骨整列装置。
【請求項１１】
前記締結部材は、前記結合部の挿入深さを制限するストッパーを含む、請求項１０に記載の脛骨整列装置。
【請求項１２】
前記上部は、前記カッティングガイドの結合高さを微細に調節可能な微細調整部を含む、請求項１に記載の脛骨整列装置。
【請求項１３】
前記下部は、前記上部と下部との結合長を調節可能な高さ調節部、及び前記高さ調節部と前記足首鉗子部とを連結する連結部を含み、
前記高さ調節部は、前記上部の連結部と前記下部の連結部とを連結する第１部材、前記上部の連結部の上下移動を調節する第２部材、及び前記第２部材の位置を固定する弾性部材を含む、請求項１〜１２のいずれかに記載の脛骨整列装置。
【請求項１４】
前記第２部材は、前記上部の連結部が前記第２部材と接触して前記下部棒を固定させるロック状態となり、前記上部の連結部と前記第２部材とが間隔を形成して前記上部の連結部を上下にスライディングさせることが可能な解除状態となることを特徴とする、請求項１３に記載の脛骨整列装置。
【請求項１５】
前記第２部材は、前記上部の連結部と接触を形成する接触部、前記第２部材を回転させる回転結合部、及び前記第２部材のロック状態と解除状態を調整可能なハンドル部を含む、請求項１４に記載の脛骨整列装置。
【請求項１６】
前記接触部は、前記上部の連結部が貫通する収容ホールを含み、前記収容ホールは、前記第２部材のロック状態時に前記上部の連結部と前記第２部材とが接触するように形成されたことを特徴とする、請求項１５に記載の脛骨整列装置。
【請求項１７】
前記足首鉗子部は、治療対象の足首に固定される鉤形状の足首鉗子、前記足首鉗子と前記下部の連結部とを連結する足首鉗子連結部、前記足首鉗子連結部を治療対象の前位又は後位方向にスライディングさせるスライディング調整部、前記足首鉗子連結部の位置を固定するラチェットボタン、及び前記ラチェットボタンの離脱を防止する連結ボルトを含む、請求項１〜１２のいずれかに記載の脛骨整列装置。
【請求項１８】
前記足首鉗子部は、洗浄水の流入を円滑にして洗浄効率を高める洗浄溝を備えていることを特徴とする、請求項１７に記載の脛骨整列装置。
【請求項１９】
前記スライディング調整部は、前記ラチェットボタンが挿入される両側面を貫通する洗浄溝を含み、
前記ラチェットボタンは、前記連結ボルトが挿入される下端の両側面を貫通する洗浄溝を含む、請求項１８に記載の脛骨整列装置。
【請求項２０】
請求項１〜１２のいずれか一項の脛骨整列装置と膝関節置換術のための脛骨切削ガイドとを含む脛骨整列装置ユニット。
【発明の詳細な説明】
【技術分野】
【０００１】
本発明は、治療対象の脛骨と大腿骨を含む膝関節に用いられる膝関節置換術（Total Knee Anrthroplasty）に関し、より詳細には、人工膝関節手術時に、脛骨切削ガイドに結合可能な上部と、前記上部と上下にスライディング可能に結合する下部を含み、前記上部は、前記脛骨切削ガイドを前記上部に装着させるカッティングガイド結合部と、前記上部と下部を連結する連結部を含み、前記下部は、治療対象の足首に固定されて脛骨整列装置を固定する足首鉗子部を含み、前記カッティングガイド結合部は、カッティングガイドに様々な角度で結合又は分離可能であり、前記カッティングガイド結合部は、前記脛骨切削ガイドに上下移動可能に結合可能な締結部材と、前記締結部材をスライディング可能に収容する収容部材を含み、前記締結部材は、締結部材の上端に前記カッティングガイド結合部の挿入方向に突出して前記脛骨切削ガイドに挿入されて結合可能な結合部を含み、前記収容部材は、収容部材の上端に前記カッティングガイド結合部の挿入方向に突出して前記脛骨切削ガイドに挿入されて結合可能な結合部を含み、前記締結部材の結合部は、前記収容部材の結合部に対して間隔調節可能に構成され、脛骨切削ガイドに様々な角度で脱着可能である脛骨整列装置に関する。
【背景技術】
【０００２】
膝関節とは、膝を囲んでいる３個の骨である大腿骨（Femur）、脛骨（Tibia）、膝蓋骨（Patella）がなす関節のことを意味し、人の体重を支え、関節運動によって歩いたり走ったりするなどの脚を用いる運動に関連した中枢的な関節に該当する。
【０００３】
大腿骨端には関節軟骨（Articular Cartilage）が存在し、脛骨端には半月状軟骨（Meniscus）が存在するが、老化や激しい運動などにより軟骨が損傷すると骨と骨が直接ぶつかって深刻な疼痛を誘発することがある。
【０００４】
膝関節置換術（Total Knee Arthroplasty）は、このように膝関節が損傷したとき、大腿骨と脛骨の一部を切開して人工膝関節を挿入する手術で、大腿骨端に大腿骨結合部材を連結し、脛骨端に脛骨要素を挿入固定し、その上にベアリング部材を設置して人工膝関節を施す。このような人工膝関節置換手術において手術後副作用を防止し、置換された人工膝関節の寿命を延長させるためには、損傷した膝関節の正確な折骨が非常に重要である。
【０００５】
このため、膝関節置換術手術のとき、治療対象の脛骨近位部を切削する前に、長さ調節が可能な棒状の脛骨整列装置（Tibial Alignment Assembly）を用いて、一方は治療対象の足首に固定し、他方は脛骨切削ガイドに結合して、治療対象の脛骨近位部に当ててみることによって正確な切削面を導出している。
【０００６】
このような前記脛骨整列装置は、治療対象に応じて正確な長さを調節する必要があり、これは手術の正確性及び効果と直結する。また、脛骨切削ガイドとの結合及び分解が容易に行われ、手術の容易性を確保すると同時に手術器具間の衝突を防止し、整列された位置を保持し、正確で安全な手術が行なわれる必要がある。
【０００７】
しかし、従来技術は、カッティングガイドへの前記脛骨整列装置の結合及び分解に困難があるだけでなく、アラインメントの長さの微細調節も難しいという問題があった。具体的に、既存器具では、脛骨切削ガイドと脛骨整列装置間の結合及び分解の半径又は経路が一直線に限定されており、手術中にそれら装置を容易に脱着できず、手術の容易性が確保し難く、特に、脛骨整列装置の狭い分解半径によって分解時に他の手術器具との衝突が生じ、切削面の情報を提供するために整列されている手術器具の位置が乱れたり結合が解除される問題を招いた。このため、不正確な手術となり、治療効果の低下及び患者の苦痛を誘発し、深刻な場合には再手術しなければならず、治療対象に時間的、経済的損失を負わせた。
【０００８】
また、従来の脛骨整列装置は、整列棒の長さを調節する部分にボルトやラチェットを使用したが、前記ねじのピッチ又はラチェットの溝の単位間隔によって、精密な高さ調節が困難であり、このため、正確な膝関節置換術の施術及び手術の容易性、手術経過、患者の苦痛及び経済的負担においてた問題を招いている。
【０００９】
また、手術器具は感染などの安全性の理由で洗浄が重要であり、そのためには器具の洗浄性を高める設計が必要である。しかし、従来の脛骨整列装置は、治療対象の足首部位に直接結合する足首鉗子部（ankle clamp）に別個の洗浄溝が設けられておらず、多くの部品が結合すると洗浄水がよく届かない隙間は洗浄し難く、不完全な洗浄による細菌感染などの危険があった。
【００１０】
米国特許第８，７５８，３５４号明細書は、図１に示す脛骨整列装置を開示している。図１を参照すると、前記脛骨整列装置は、脛骨近位部切削時に正確な切削面に関する情報を提供するための装置である。
【００１１】
しかしながら、前記指摘の通り、このような従来の脛骨整列装置は、脛骨切削ガイドと一直線にしか結合又は分解できないため、脱着が容易でなく、前記脛骨切削ガイドを円滑に除去し難く、手術過程中に他の器具と衝突する問題を誘発する。また、上部棒（Proximal Rod）及び下部棒（Distal Rod）の結合長を調節する部分がラチェット形式になっており、精密な長さ調節が難しいという問題があった。しかも、足首鉗子部（Ankle Clamp）も、手術前後に装置の洗浄を容易にする洗浄溝などの構成がないため、細菌などの感染がない安全な手術を保障できない問題があった。
【００１２】
したがって、脛骨切削ガイドとの結合及び分解が容易であり、精密な高さ調整が可能であり、足首鉗子部の洗浄を容易にすることによって、正確で安全な膝関節置換術を施行できる脛骨整列装置の導入の必要性が増大している実情である。
【発明の概要】
【発明が解決しようとする課題】
【００１３】
本発明は、前記のような問題点を解決するために案出されたものであり、
【００１４】
本発明の目的は、膝関節置換術のための脛骨切削ガイドに結合可能な上部、及び前記上部と上下にスライディング可能に結合する下部を含み、前記上部は、前記脛骨切削ガイドを前記上部に装着させるカッティングガイド結合部、及び前記上部と下部とを連結する連結部を含み、前記下部は、治療対象の足首に固定されて脛骨整列装置を固定する足首鉗子部を含み、膝関節置換術手術時に施術者に正確な脛骨切削面の位置に関する情報を知らせる脛骨整列装置を提供することにある。本発明の他の目的は、前記カッティングガイド結合部は、脛骨切削ガイドに様々な角度で結合又は分離可能であり、脛骨切削ガイドと脛骨整列装置の結合及び分解半径の範囲を広めて手術の便宜性及び安全性を向上させる脛骨整列装置を提供することにある。
【００１５】
本発明のさらに他の目的は、前記カッティングガイド結合部は、前記脛骨切削ガイドに上下移動可能に結合可能な締結部材と、前記締結部材をスライディング可能に収容する収容部材を含み、脛骨切削ガイドと流動的な結合を形成する脛骨整列装置を提供することにある。
【００１６】
本発明のさらに他の目的は、前記締結部材は、締結部材の上端に前記カッティングガイド結合部の挿入方向に突出して前記脛骨切削ガイドに挿入されて結合可能な結合部を含み、前記収容部材は、収容部材の上端に前記カッティングガイド結合部の挿入方向に突出して前記脛骨切削ガイドに挿入されて結合可能な結合部を含み、前記締結部材の結合部は、前記収容部材の結合部に対して間隔調節が可能なように構成され、脛骨切削ガイドと様々な角度で脱着可能である脛骨整列装置を提供することにある。
【００１７】
本発明のさらに他の目的は、前記締結部材の結合部と前記収容部材の結合部との間隔が広まって脛骨切削ガイドと強固に結合するロック状態となり、前記締結部材の結合部と前記収容部材の結合部との間隔が狭くなって脛骨切削ガイドと緩く結合する解除状態となることを特徴とし、施術者の前記ロック状態及び解除状態の操作によって前記結合部の容易な挿入及び固定を可能にして手術の便宜性を向上させる脛骨整列装置を提供することにある。
【００１８】
本発明のさらに他の目的は、前記カッティングガイド結合部は、前記締結部材の結合部と前記収容部材の結合部との間隔を調節するレバー部材を含み、小さな力でも前記締結部材の結合部を押し上げて前記結合部を固定させると同時に、施術者にとって前記ロック状態及び解除状態間の確認及び切替を容易にする脛骨整列装置を提供することにある。
【００１９】
本発明のさらに他の目的は、前記レバー部材の回転を可能にする回転ボディー部を含み、前記レバー部材を前記収容部材に対して固定及び回転させて前記状態間の切替を可能にする脛骨整列装置を提供することにある。
【００２０】
本発明のさらに他の目的は、前記ロック状態で前記締結部材を上側に加圧する板ばね部を含み、前記締結部材の結合部と前記収容部材の結合部との間隔を広めることによって前記レバー部材回転時に部材の損傷を防止し、前記締結部材の固定が可能である脛骨整列装置を提供することにある。
【００２１】
本発明のさらに他の目的は、ハンドル部を含み、施術者にとって前記ロック及び解除状態間の切替を容易にする脛骨整列装置を提供することにある。
【００２２】
本発明のさらに他の目的は、前記ロック状態で前記レバー部材の回転を防止する回転防止段を含み、結合後に前記ロック状態を保持することによって、手術中に前記カッティングガイド結合部の離脱を防止して安全な手術を可能にする脛骨整列装置を提供することにある。
【００２３】
本発明のさらに他の目的は、溝部を含み、前記レバー部材が回転できるように前記板ばね部が下側に降り得る空間を提供する脛骨整列装置を提供することにある。
【００２４】
本発明のさらに他の目的は、前記カッティングガイド結合部は、前記解除状態のとき、前記締結部材の結合部と前記収容部材の結合部との間隔を密着させる密着手段を含み、前記解除状態で前記締結部材と収容部材との離隔を防止して容易な手術を可能にする脛骨整列装置を提供することにある。
【００２５】
本発明のさらに他の目的は、前記締結部材の結合部は、その一端が上方に突出した突出面を含む結合面を含み、前記カッティングガイド結合部の結合後に前記締結部材結合部の離脱を防止する脛骨整列装置を提供することにある。
【００２６】
本発明のさらに他の目的は、前記結合面は、曲面からなり、前記結合部の内側に凹入した凹面と、前記凹面から延長形成されて前記結合部の外側に突出した凸面を含み、前記凸面は突出面を構成し、前記ロック状態時に凸面によって前記結合部の固定力を向上させると同時に、前記解除状態時に結合部の挿入及び離脱を円滑にする脛骨整列装置を提供することにある。
【００２７】
本発明のさらに他の目的は、前記締結部材は、前記結合部の挿入深さを制限するストッパーを含み、施術者に容易な手術を可能にする脛骨整列装置を提供することにある。
【００２８】
本発明のさらに他の目的は、前記上部は、前記カッティングガイドの結合高さを微細に調節可能な微細調整部を含み、正確なカッティング面の設定を可能にして手術の正確性を高める脛骨整列装置を提供することにある。
【００２９】
本発明のさらに他の目的は、前記下部は、高さ調節部を含み、前記上部と下部との結合長を調節できる脛骨整列装置を提供することにある。
【００３０】
本発明のさらに他の目的は、前記高さ調節部は、第１部材を含み、前記上部の連結部と前記下部の連結部とを連結及び固定することができる脛骨整列装置を提供することにある。
【００３１】
本発明のさらに他の目的は、前記高さ調節部は、第２部材を含み、前記上部の連結部の上下移動を調節することができる脛骨整列装置を提供することにある。
【００３２】
本発明のさらに他の目的は、前記高さ調節部は、弾性部材を含み、前記第２部材によって、施術者が調整した高さを維持することができる脛骨整列装置を提供することにある。
【００３３】
本発明のさらに他の目的は、前記第２部材は、前記上部の連結部が前記第２部材と接触して前記下部棒を固定させるロック状態となり、前記上部の連結部と前記第２部材とが間隔を形成して前記上部の連結部を上下にスライディングさせ得る解除状態となることを特徴とし、前記ロック状態と解除状態の相互切替によって容易な手術を可能にする脛骨整列装置を提供することにある。
【００３４】
本発明のさらに他の目的は、前記第２部材は、接触部を含み、前記上部の連結部との接触によって摩擦力を形成することによって、前記上部の連結部を固定することができる脛骨整列装置を提供することにある。
【００３５】
本発明のさらに他の目的は、前記第２部材は、回転結合部を含み、前記第２部材を第１部材に固定すると同時に回転させることによって、前記上部の連結部及び前記第２部材を接触させることができる脛骨整列装置を提供することにある。
【００３６】
本発明のさらに他の目的は、前記第２部材は、ハンドル部を含み、前記第２部材のロック状態と解除状態を容易に調整可能である脛骨整列装置を提供することにある。
【００３７】
本発明のさらに他の目的は、前記接触部は、前記上部の連結部が貫通する収容ホールを含み、前記収容ホールは、前記第２部材のロック状態時に前記上部の連結部と前記第２部材とが接触するように形成され、前記上部の連結部との接触面積を増加させて前記ロック状態時固定力を向上させる脛骨整列装置を提供することにある。
【００３８】
本発明のさらに他の目的は、前記足首鉗子部は、足首鉗子を含み、治療対象の足首に強固に固定される脛骨整列装置を提供することにある。
【００３９】
本発明のさらに他の目的は、前記足首鉗子部は、前記足首鉗子と前記下部の連結部とを連結する足首鉗子連結部、及び前記足首鉗子連結部を治療対象の前位又は後位方向にスライディングさせるスライディング調整部を含み、脛骨整列装置と治療対象の脛骨が形成する角度を調節することができる脛骨整列装置を提供することにある。
【００４０】
本発明のさらに他の目的は、前記足首鉗子部は、ラチェットボタンを含み、前記足首鉗子連結部の位置を固定可能である脛骨整列装置を提供することにある。
【００４１】
本発明のさらに他の目的は、前記足首鉗子部は、連結ボルトを含み、前記ラチェットボタンの離脱を防止する脛骨整列装置を提供することにある。
【００４２】
本発明のさらに他の目的は、前記足首鉗子部は、洗浄溝を有し、洗浄水の流入を円滑にして洗浄効率を高める脛骨整列装置を提供することにある。
【課題を解決するための手段】
【００４３】
本発明は、上記の目的を達成するために次のような構成を有する実施例によって具現される。
【００４４】
本発明の一実施例によれば、本発明に係る脛骨整列装置は、膝関節置換術のための脛骨切削ガイドに結合可能な上部、及び前記上部と上下にスライディング可能に結合する下部を含み、前記上部は、前記脛骨切削ガイドを前記上部に装着させるカッティングガイド結合部、及び前記上部と下部とを連結する連結部を含むことを特徴とする。
【００４５】
本発明の他の実施例によれば、前記カッティングガイド結合部は、脛骨切削ガイドに様々な角度で結合又は分離可能であることを特徴とする。
【００４６】
本発明のさらに他の実施例によれば、前記カッティングガイド結合部は、前記脛骨切削ガイドに上下移動可能に結合可能な締結部材と、前記締結部材をスライディング可能に収容する収容部材とを含むことを特徴とする。
【００４７】
本発明のさらに他の実施例によれば、前記締結部材は、締結部材の上端に前記カッティングガイド結合部の挿入方向に突出して前記脛骨切削ガイドに挿入されて結合可能な結合部を含み、前記収容部材は、収容部材の上端に前記カッティングガイド結合部の挿入方向に突出して前記脛骨切削ガイドに挿入されて結合可能な結合部を含み、前記締結部材の結合部は、前記収容部材の結合部に対して間隔調節可能に構成され、脛骨切削ガイドに様々な角度で脱着可能であることを特徴とする。
【００４８】
本発明のさらに他の実施例によれば、前記締結部材の結合部と前記収容部材の結合部との間隔が広まって脛骨切削ガイドと強固に結合するロック状態となり、前記締結部材の結合部と前記収容部材の結合部との間隔が狭くなって脛骨切削ガイドと緩く結合する解除状態となることを特徴とする。
【００４９】
本発明のさらに他の実施例によれば、前記カッティングガイド結合部は、前記締結部材の結合部と前記収容部材の結合部との間隔を調節するレバー部材を含むことを特徴とする。
【００５０】
本発明のさらに他の実施例によれば、前記レバー部材は、前記レバー部材の回転を可能にする回転ボディー部と、前記ロック状態で前記締結部材を上側に加圧する板ばね部と、前記レバー部材のロック状態と解除状態を調整可能なハンドル部と、前記ロック状態で前記レバー部材の回転を防止する回転防止段と、前記レバー部材が回転できるように前記板ばね部が下側に降り得る空間を提供する溝部とを含むことを特徴とする。
【００５１】
本発明のさらに他の実施例によれば、前記カッティングガイド結合部は、前記解除状態のとき、前記締結部材の結合部と前記収容部材の結合部との間隔を密着させる密着手段を含むことを特徴とする。
【００５２】
本発明のさらに他の実施例によれば、前記締結部材の結合部は、その一端が上方に突出した突出面を含む結合面を有することを特徴とする。
【００５３】
本発明のさらに他の実施例によれば、前記結合面は、曲面からなり、前記結合部の内側に凹入した凹面と、前記凹面から延長形成されて前記結合部の外側に突出した凸面を含み、前記凸面は突出面を構成することを特徴とする。
【００５４】
本発明のさらに他の実施例によれば、前記締結部材は、前記結合部の挿入深さを制限するストッパーを含むことを特徴とする。
【００５５】
本発明のさらに他の実施例によれば、前記上部は、前記カッティングガイドの結合高さを微細に調節可能な微細調整部を含むことを特徴とする。
【００５６】
本発明のさらに他の実施例によれば、前記下部は、前記上部と下部との結合長を調節可能な高さ調節部、及び前記高さ調節部と前記足首鉗子部とを連結する連結部を含み、前記高さ調節部は、前記上部の連結部と前記下部の連結部とを連結する第１部材、前記上部の連結部の上下移動を調節する第２部材、及び前記第２部材の位置を固定する弾性部材を含むことを特徴とする。
【００５７】
本発明のさらに他の実施例によれば、前記第２部材は、前記上部の連結部が前記第２部材と接触して前記下部棒を固定させるロック状態となり、前記上部の連結部と前記第２部材とが間隔を形成して前記上部の連結部を上下にスライディングさせ得る解除状態となることを特徴とすることを特徴とする。
【００５８】
本発明のさらに他の実施例によれば、前記第２部材は、前記上部の連結部と接触を形成する接触部、前記第２部材を回転させる回転結合部、及び前記第２部材のロック状態と解除状態を調整可能なハンドル部を含むことを特徴とする。
【００５９】
本発明のさらに他の実施例によれば、前記接触部は、前記上部の連結部が貫通する収容ホールを含み、前記収容ホールは、前記第２部材のロック状態時に前記上部の連結部と前記第２部材とが接触するように形成されたことを特徴とする。
【００６０】
本発明のさらに他の実施例によれば、前記足首鉗子部は、治療対象の足首に固定される鉤形状の足首鉗子、前記足首鉗子と前記下部の連結部とを連結する足首鉗子連結部、及び前記足首鉗子連結部を治療対象の前位又は後位方向にスライディングさせるスライディング調整部、前記足首鉗子連結部の位置を固定するラチェットボタン、及び前記ラチェットボタンの離脱を防止する連結ボルトを含むことを特徴とする。
【００６１】
本発明のさらに他の実施例によれば、前記足首鉗子部は、洗浄水の流入を円滑にして洗浄効率を高める洗浄溝を備えていることを特徴とする。
【００６２】
本発明のさらに他の実施例によれば、前記スライディング調整部は、前記ラチェットボタンが挿入される両側面を貫通する洗浄溝を含み、前記ラチェットボタンは、前記連結ボルトが挿入される下端の両側面を貫通する洗浄溝を含むことを特徴とする。
【発明の効果】
【００６３】
本発明は、上記の実施例と後述する構成との結合及び使用関係によって次のような効果を得ることができる。
【００６４】
本発明は、膝関節置換術のための脛骨切削ガイドに結合可能な上部、及び前記上部と上下にスライディング可能に結合する下部を含み、前記上部は、前記脛骨切削ガイドを前記上部に装着させるカッティングガイド結合部、及び前記上部と下部とを連結する連結部を含み、前記下部は、治療対象の足首に固定されて脛骨整列装置を固定する足首鉗子部を含み、膝関節置換術手術時に施術者に正確な脛骨切削面の位置に関する情報を知らせる効果を提供する。
【００６５】
本発明は、前記カッティングガイド結合部が、脛骨切削ガイドに様々な角度で結合又は分離可能であり、脛骨切削ガイドと脛骨整列装置の結合及び分解半径の範囲を広めて手術の便宜性及び安全性を向上させる効果を提供する。
【００６６】
本発明は、前記カッティングガイド結合部が、前記脛骨切削ガイドに上下移動可能に結合可能な締結部材と、前記締結部材をスライディング可能に収容する収容部材を含み、脛骨切削ガイドと流動的な結合を形成する効果を提供する。
【００６７】
本発明は、前記締結部材が、締結部材の上端に前記カッティングガイド結合部の挿入方向に突出して前記脛骨切削ガイドに挿入されて結合可能な結合部を含み、前記収容部材が、収容部材の上端に前記カッティングガイド結合部の挿入方向に突出して前記脛骨切削ガイドに挿入されて結合可能な結合部を含み、前記締結部材の結合部が前記収容部材の結合部に対して間隔調節が可能に構成され、脛骨切削ガイドと様々な角度で脱着可能な効果を提供する。
【００６８】
本発明は、前記締結部材の結合部と前記収容部材の結合部との間隔が広まって脛骨切削ガイドと強固に結合するロック状態となり、前記締結部材の結合部と前記収容部材の結合部との間隔が狭くなって脛骨切削ガイドと緩く結合する解除状態となることを特徴とし、施術者の前記ロック状態及び解除状態の操作によって前記結合部の容易な挿入及び固定を可能にして手術の便宜性を向上させる効果を提供する。
【００６９】
本発明は、前記カッティングガイド結合部が、前記締結部材の結合部と前記収容部材の結合部との間隔を調節するレバー部材を含み、小さな力でも前記締結部材の結合部を押し上げて前記結合部を固定させると同時に施術者にとって前記ロック状態及び解除状態間の確認及び切替を容易にする効果を提供する。
【００７０】
本発明は、前記レバー部材の回転を可能にする回転ボディー部を含み、前記レバー部材を前記収容部材に対して固定及び回転させて前記状態間の切替を可能にする効果を提供する。
【００７１】
本発明は、前記ロック状態で前記締結部材を上側に加圧する板ばね部を含み、前記締結部材の結合部と前記収容部材の結合部との間隔を広めることによって前記レバー部材回転時に部材の損傷を防止し、前記締結部材の固定が可能な効果を提供する。
【００７２】
本発明は、ハンドル部を含み、施術者にとって前記ロック及び解除状態間の切替を容易にする効果を提供する。
【００７３】
本発明は、前記ロック状態で前記レバー部材の回転を防止する回転防止段を含み、結合後に前記ロック状態を保持することによって、手術中に前記カッティングガイド結合部の離脱を防止して安全な手術を可能にする効果を提供する。
【００７４】
本発明は、溝部を含み、前記レバー部材が回転できるように前記板ばね部が下側に降り得る空間を提供する効果を有する。
【００７５】
本発明は、前記カッティングガイド結合部が、前記解除状態のとき、前記締結部材の結合部と前記収容部材の結合部との間隔を密着させる密着手段を含み、前記解除状態で前記締結部材と収容部材との離隔を防止して容易な手術を可能にする効果を提供する。
【００７６】
本発明は、前記締結部材の結合部が、その一端が上方に突出した突出面を含む結合面を含み、前記カッティングガイド結合部の結合後に前記締結部材結合部の離脱を防止する効果を提供する。
【００７７】
本発明は、前記結合面が、曲面からなり、前記結合部の内側に凹入した凹面と、前記凹面から延長形成されて前記結合部の外側に突出した凸面を含み、前記凸面は突出面を構成し、前記ロック状態時に凸面によって前記結合部の固定力を向上させると同時に、前記解除状態時に結合部の挿入及び離脱を円滑にする効果を提供する。
【００７８】
本発明は、前記締結部材が、前記結合部の挿入深さを制限するストッパーを含み、施術者にとって容易な手術を可能にする効果を提供する。
【００７９】
本発明は、前記上部が、前記カッティングガイドの結合高さを微細に調節可能な微細調整部を含み、正確なカッティング面の設定を可能にして手術の正確性を高める効果を提供する。
【００８０】
本発明は、前記下部が高さ調節部を含み、前記上部と下部との結合長を調節できる効果を提供する。
【００８１】
本発明は、前記高さ調節部が第１部材を含み、前記上部の連結部と前記下部の連結部とを連結及び固定することができる効果を提供する。
【００８２】
本発明は、前記高さ調節部が第２部材を含み、前記上部の連結部の上下移動を調節できる効果を提供する。
【００８３】
本発明は、前記高さ調節部が弾性部材を含み、前記第２部材によって施術者が調整した高さを保持できる効果を提供する。
【００８４】
本発明は、前記第２部材が、前記上部の連結部が前記第２部材と接触して前記下部棒を固定させるロック状態となり、前記上部の連結部と前記第２部材とが間隔を形成して前記上部の連結部を上下にスライディングさせ得る解除状態となることを特徴とし、前記ロック状態と解除状態の相互切替によって容易な手術を可能にする効果を提供する。
【００８５】
本発明は、前記第２部材が接触部を含み、前記上部の連結部との接触によって摩擦力を形成することによって、前記上部の連結部を固定することができる効果を提供する。
【００８６】
本発明は、前記第２部材が回転結合部を含み、前記第２部材を第１部材に固定すると同時に回転させることによって、前記上部の連結部及び前記第２部材を接触させることができる効果を提供する。
【００８７】
本発明は、前記第２部材がハンドル部を含み、前記第２部材のロック状態と解除状態を容易に調整できる効果を提供する。
【００８８】
本発明は、前記接触部が、前記上部の連結部が貫通する収容ホールを含み、前記収容ホールが、前記第２部材のロック状態時に前記上部の連結部と前記第２部材とが接触するように形成され、前記上部の連結部との接触面積を増加させて前記ロック状態時に固定力を向上させる効果を提供する。
【００８９】
本発明は、前記足首鉗子部が足首鉗子を含み、治療対象の足首に強固に固定される効果を提供する。
【００９０】
本発明は、前記足首鉗子部が、前記足首鉗子と前記下部の連結部とを連結する足首鉗子連結部、及び前記足首鉗子連結部を治療対象の前位又は後位方向にスライディングさせるスライディング調整部を含み、脛骨整列装置と治療対象の脛骨が形成する角度を調節できる効果を提供する。
【００９１】
本発明は、前記足首鉗子部がラチェットボタンを含み、前記足首鉗子連結部の位置を固定させる効果を提供する。
【００９２】
本発明は、前記足首鉗子部が連結ボルトを含み、前記ラチェットボタンの離脱を防止する効果を提供する。
【００９３】
本発明は、前記足首鉗子部が洗浄溝を有し、洗浄水の流入を円滑にして洗浄効率を高める効果を提供する。
【図面の簡単な説明】
【００９４】
【図１】従来の脛骨整列装置の一実施例を示す図である。
【００９５】
【図２】本発明の一実施例に係る脛骨整列装置の斜視図である。
【００９６】
【図３】本発明の他の実施例に係る脛骨整列装置の分解斜視図である。
【００９７】
【図４】本発明のさらに他の実施例に係る脛骨整列装置における締結部材の斜視図である。
【００９８】
【図５】本発明のさらに他の実施例に係る脛骨整列装置における収容部材の斜視図である。
【００９９】
【図６】本発明のさらに他の実施例に係る脛骨整列装置におけるレバー部材の斜視図である。
【０１００】
【図７】本発明のさらに他の実施例に係る脛骨整列装置における上部の斜視図である。
【０１０１】
【図８】本発明のさらに他の実施例に係る脛骨整列装置における上部の結合前の断面図である。
【０１０２】
【図９】本発明のさらに他の実施例に係る脛骨整列装置における上部の結合過程時の断面図である。
【０１０３】
【図１０】図９のA部分の詳細図である。
【０１０４】
【図１１】本発明のさらに他の実施例に係る脛骨整列装置における上部の結合後の断面図である。
【０１０５】
【図１２】本発明のさらに他の実施例に係る脛骨整列装置における上部棒の斜視図である。
【０１０６】
【図１３】本発明のさらに他の実施例に係る脛骨整列装置における下部棒の斜視図である。
【０１０７】
【図１４】本発明のさらに他の実施例に係る脛骨整列装置における微細調整部の断面図である。
【０１０８】
【図１５】本発明のさらに他の実施例に係る脛骨整列装置における微細調整部の使用状態図である。
【０１０９】
【図１６】本発明のさらに他の実施例に係る脛骨整列装置における第１部材の斜視図である。
【０１１０】
【図１７】本発明のさらに他の実施例に係る脛骨整列装置における第２部材の斜視図である。
【０１１１】
【図１８】本発明のさらに他の実施例に係る脛骨整列装置における連結部の斜視図である。
【０１１２】
【図１９】本発明のさらに他の実施例に係る脛骨整列装置における高さ調節部の斜視図である。
【０１１３】
【図２０】本発明のさらに他の実施例に係る脛骨整列装置における高さ調節部のロック状態時の断面図である。
【０１１４】
【図２１】図２０のＢ部分の詳細図である。
【０１１５】
【図２２】本発明のさらに他の実施例に係る脛骨整列装置における高さ調節部の解除状態時の断面図である。
【０１１６】
【図２３】本発明のさらに他の実施例に係る脛骨整列装置足首鉗子部の斜視図である。
【発明を実施するための形態】
【０１１７】
以下では、本発明に係る脛骨整列装置を、添付の図面を参照して詳細に説明する。図中、同一の構成要素は、異なる図面においても可能なかぎり同一の符号で表していることに留意しなければならない。また、本発明の要旨を却って曇らせ得る公知機能及び構成に関する詳細な説明は省略する。特に定義がない限り、本明細書における全ての用語は、本発明の属する技術分野における通常の知識を有する技術者が理解する当該用語の一般的な意味と同じであり、仮に本明細書に使われる用語の意味と衝突する場合には、本明細書に使われる定義にしたがう。
【０１１８】
図２は、本発明の一実施例に係る脛骨整列装置の斜視図であり、図３は、本発明の他の実施例に係る脛骨整列装置の分解斜視図である。
【０１１９】
図２及び図３を参照して説明すると、本発明である脛骨整列装置１は、膝関節置換術のための脛骨切削ガイドＣに結合可能な上部１０と、該上部１０と上下にスライディング可能に結合できる下部３０とを含む。また、前記脛骨整列装置１は、膝関節置換術のための脛骨切削ガイドＣをさらに含み、一つのユニットをなすことができる。
【０１２０】
後述するように、前記上部１０と下部３０はその間に、相互間の結合長を調整できる手段を含むことができ、治療対象の脛骨長に応じて装置の高さを調整することによって、適切な脛骨切断面に関する情報を個別に提供することができる。
【０１２１】
前記上部１０は、治療対象の脛骨近位部の近くに位置し、脛骨切削ガイドＣと結合して、正確な脛骨近位部切断面の基準に関する情報を提供する。前記上部１０はまた、カッティングガイド結合部１１、連結部１３、微細調整部１５を含むことができる。
【０１２２】
前記カッティングガイド結合部１１は、前記上部１０の上端に位置して脛骨切削ガイドＣと結合する部分であり、後述するように、脛骨切削ガイドＣと様々な角度で結合可能である。これによって、手術の安全性及び容易性を確保することができ、他の手術器具との衝突を防止して正確な手術を可能にする。前記カッティングガイド結合部１１はまた、締結部材１１１、収容部材１１３、レバー部材１１５、密着手段１１７を含むことができる。
【０１２３】
前記連結部１３は中空の円筒形の棒状であり、一端は前記カッティングガイド結合部１１の下部３０に結合し、他端は、後述する下部３０の連結部３３に収容されて、脛骨整列装置１を支持すると同時に、高さ延長時に延長される長さを提供する。好ましくは、前記連結部１３は、上部棒１３１と下部棒１３３を含むことによって、後述する微細調整部１５を用いて両棒間の長さを微細に調整し、精密な手術を可能にすることができる。
【０１２４】
前記微細調整部１５は、前記連結部１３に結合可能であり、後述する上部棒１３１及び下部棒１３３間の結合長を調整することによって、脛骨整列装置１の固定の前だけでなく、固定の後にも微細な高さ調節を可能にし、精密な手術を可能にすることができる。好ましくは、前記微細調整部１５は、後述するマイクロノブ１５１をさらに含むことができる。
【０１２５】
前記下部３０は、治療対象の脛骨遠位部の近くに位置し、前記上部１０とスライディング可能に結合し、治療対象の足首に脛骨整列装置１を固定させて、正確な切断面に関する情報を取得できるようにする。前記下部３０はまた、高さ調節部３１、連結部、足首鉗子部３５を含むことができる。
【０１２６】
前記高さ調節部３１は、前記上部１０及び下部３０との間で前記上部１０及び下部３０の連結部１３，３３を収容する金属のハウジングの形態で提供され得る。前記高さ調節部３１は、一端に、装置が伸縮するか否かを決定できるボタンを備えることができ、前記上部１０及び下部３０を連結すると同時に結合長を調節し、脛骨整列装置１の高さを全体的に調節可能にする。前記高さ調節部３１はまた、後述する第１部材３１１、第２部材３１３、弾性部材３１５を含むことができる。
【０１２７】
前記下部３０の連結部３３は、長い円筒形の金属棒で構成され、中空の内部を有することによって、前記高さ調節部３１と足首鉗子部３５とを連結し、前記上部１０の連結部１３を内部に収容でき、これによって、装置全体の高さを確保すると同時に高さ調節可能にする。好ましくは、前記下部３０の連結部３３は、両端に前記高さ調節部３１と足首鉗子部３５との結合深さを制限する係止段３３１が形成され得る。
【０１２８】
前記足首鉗子部３５は、Ｙ字状の胴体において鎌状の部材をＹ字状の上部の両端に備えた鉤又は挟みの形状を有することによって、治療対象の足首に安定して固定され、脛骨切削面の位置に関する正確な情報を取得可能にする。前記足首鉗子部３５はまた、後述する足首鉗子３５１、足首鉗子連結部３５３、ラチェットボタン３５５、スライディング調整部３５７、連結ボルト３５９を含むことができる。
【０１２９】
図４は、本発明のさらに他の実施例に係る脛骨整列装置における締結部材の斜視図であり、図５は、本発明のさらに他の実施例に係る脛骨整列装置における収容部材の斜視図であり、図６は、本発明のさらに他の実施例に係る脛骨整列装置におけるレバー部材の斜視図であり、図７は、本発明のさらに他の実施例に係る脛骨整列装置における上部の斜視図である。
【０１３０】
図４〜図７を参照すると、前記上部１０は、カッティングガイド結合部１１、連結部１３、微細調整部１５を含むことができ、前記カッティングガイド結合部１１はまた、締結部材１１１、収容部材１１３、レバー部材１１５、密着手段１１７を含むことができる。
【０１３１】
図４に示すように、前記締結部材１１１は、金属材質の中間が曲がった短い四角棒に、内部に前記レバー部材１１５を収容するための空き空間が形成された形状を有することができ、一端は脛骨切削ガイドＣに挿入されて所定の固定力を確保し、他端は、ハウジングの形態で提供される収容部材１１３の内部に挿入されて前記収容部材１１３と上下に移動可能に結合し、後述するロック状態及び解除状態間の切替を可能にすることができる。前記締結部材１１１はまた、後述する結合部１１１１、ストッパー１１１３、ボディー部１１１５を含むことができる。
【０１３２】
前記締結部材１１１の結合部１１１１は、前記締結部材１１１のボディー部１１１５の上端から、下記形状（以下、‘逆Ｌ’状とよぶ）
2021530271.tif 000003
にカッティングガイド結合部１１への挿入方向に向いて突出形成され、前記脛骨切削ガイドＣに挿入及び結合可能である。前記結合部１１１１は、図７に示すように、後述する収容部材１１３の結合部１１３１と間隔調節可能に構成され、脛骨切削ガイドＣに様々な角度で結合及び分解可能にすることができる。好ましくは、前記結合部１１１１は、挿入及び固定後に前記結合部１１１１を強固に結合し、挿入反対方向への離脱を防止するために、その一端が上方に突出した突出面１１１１ｂを含む結合面１１１１ａを有することができる。より好ましくは、前記結合面１１１１ａは、前記結合部１１１１の挿入と離脱を容易にするための曲面で構成され得る。より好ましくは、図４〜図８に示すように、前記結合面１１１１ａは、前記結合部１１１１の内側に凹入した凹面１１１１ｃと、前記凹面から延長形成されて前記結合部１１１１の外側に突出した凸面１１１１ｄを含むことができる。
【０１３３】
前記凹面１１１１ｃは、前記結合部１１１１の上側結合面１１１１ａに、内側に凹入した形状に形成され、前記カッティングガイド結合部１１と脛骨切削ガイドＣの結合及び解体時に、前記締結部材１１１の結合部１１１１が脛骨切削ガイドＣの結合スロットＳの外側縁に掛かることなく円滑に挿入及び離脱されるようにすることができる。
【０１３４】
前記凸面１１１１ｄは、前記締結部材結合部１１１１の挿入方向の端部から曲面状に上方に突出し、前記カッティングガイド結合部１１と脛骨切削ガイドＣの結合後、所定の傾斜を有する脛骨切削ガイドＣの結合スロットＳの上面に前記凸面１１１１ｄの凸部分が掛かることによって、前記カッティングガイド結合部１１の離脱を防止する構成であり、前記凸面１１１１ｄは前記突出面１１１１ｂを構成できる。
【０１３５】
前記ストッパー１１１３は、前記締結部材１１１の上端から外側に突出形成され、前記結合部１１１１が適切な深さで挿入されて前記結合部１１１１が脛骨切削ガイドＣの結合スロットＳと密着して強固に固定され得る位置に形成される。前記結合部１１１１の挿入深さを制限することができる。好ましくは、施術者と治療対象の安全のために、前記ストッパー１１１３の縁部は丸くすることができる。より好ましくは、脛骨切削ガイドＣとの密着による固定力の確保のために、前面は垂直面１１１３ａで形成され、装置操作の安全及び手術時の引っ掛かりを防止するために、後面は傾斜面１１１３ｂで形成され得る。
【０１３６】
前記ボディー部１１１５は、前記‘逆Ｌ’状の締結部材１１１の垂直方向のボディーをなす構成であり、また、レバー部材収容ホール１１１５ａと回転結合ホール１１１５ｂを含むことができる。
【０１３７】
前記レバー部材収容ホール１１１５ａは、前記締結部材１１１のボディー部１１１５の内部に、前記カッティングガイド挿入部１１の挿入及び離脱方向Ｉに貫通して前記レバー部材１１５を収容する四角の空いた空間であり、前記レバー部材１１５が回転して前記レバー部材収容ホール１１１５ａの上面を押し上げ得る空間を提供する。
【０１３８】
前記回転結合ホール１１１５ｂは、前記締結部材１１１のボディー部１１１５に前記カッティングガイド挿入部１１の挿入及び離脱方向Ｉと直交する水平方向に貫通した空間であり、前記レバー部材１１５の回転ボディー部１１５１とヒンジ結合するための構成である。前記回転結合ホール１１１５ｂは、上下に移動する前記締結部材１１１の移動範囲を確保するために、上下に長い形状の溝で形成され得る。
【０１３９】
図５に示すように、前記収容部材１１３は、上下面が開いた短い四角棒状のハウジングで構成されてよく、このようなハウジング形状の内部に前記締結部材１１１、前記連結部１３及び前記レバー部材１１５を収容するためのホールが形成され、ヒンジ結合のためのホールがハウジング形状の側面に形成され得る。前記収容部材１１３は、前記締結部材１１１と上下にスライディング可能に結合することによって、後述するように、前記締結部材１１１と収容部材１１３の結合部１１３１との間の間隔を調節し、図７に示すように、様々な角度で脛骨整列装置１を結合及び解体でき、結合時に強固な固定力を確保することができる。前記収容部材１１３は、また、後述する結合部１１３１、ボディー部１１３３を含むことができる。
【０１４０】
前記収容部材１１３の結合部１１３１は、前記収容部材１１３の一側面上端に‘逆Ｌ’状に前記カッティングガイドの結合部の挿入方向に突出形成され、前記脛骨切削ガイドＣに結合可能である。好ましくは、前記収容部材１１３の結合部１１３１は、該結合部の上面に、前記締結部材１１１を前記収容部材１１３に固定させるための密着手段１１７を含むことができる。より好ましくは、前記締結部材１１１の結合部１１１１の下面と接触する収容部材１１３の結合部１１３１の上面に、前記密着手段１１７を収容するための磁石収容溝１１３１ａを含むことができる。より好ましくは、脛骨切削ガイドＣの強固な固定のために、前記結合部１１３１はＴ字状の断面を有し、前記結合部１１３１の下面の縁部分に、前記結合部１１３１の内側に凹入したガイド溝１１３１ｂを含むことができる。
【０１４１】
前記ボディー部１１３３は、前記収容部材１１３のボディーをなす部分であり、上述したように、中空のハウジングの形状を有し、前記締結部材１１１を収容して上下に移動可能にする。前記収容部材１１３のボディー部１１３３は、締結部材収容ホール１１３３ａ、レバー部材収容ホール１１３３ｂ、ヒンジ結合ホール１１３３ｃをさらに含むことができる。
【０１４２】
前記締結部材収容ホール１１３３ａは、前記収容部材１１３のボディー部１１３３の内部を垂直に貫通して形成された四角の空いた空間であり、上端には前記締結部材１１１のボディー部１１１５が内部に収容されて上下に移動可能に結合でき、下端には前記連結部１３の上部棒１３１の一端が挿入されて連結され得る。
【０１４３】
前記レバー部材収容ホール１１３３ｂは、前記収容部材１１３のボディー部１１３３の内部に前記カッティングガイド挿入部１１の挿入及び離脱方向Ｉに貫通して前記レバー部材１１５を収容する四角の空いた空間であり、前記レバー部材１１５が回転して前記レバー部材収容ホール１１１５ａの上面を押し上げ得る空間を提供する。
【０１４４】
前記ヒンジ結合ホール１１３３ｃは、前記収容部材１１３のボディー部１１３３に、前記カッティングガイド挿入部１１の挿入及び離脱方向Ｉと直交する水平方向に貫通したホールであり、前記レバー部材１１５の回転ボディー部１１５１とヒンジ結合して前記レバー部材１１５の回転のための軸を提供することができる。
【０１４５】
図６に示すように、前記レバー部材１１５は、前記締結部材１１１の結合部１１１１と前記収容部材１１３の結合部１１３１との間の間隔を調節する構成であり、後述する回転ボディー部１１５１、板ばね部１１５３、ハンドル部１１５５、回転防止段１１５７、溝部１１５９を含むことができる。
【０１４６】
前記回転ボディー部１１５１は、前記レバー部材１１５の中央を貫通する空いたホールに、前記ホール内に前記レバー部材１１５と前記収容部材１１３を連結する円柱状のピンが挿入及び固定されて前記収容部材１１３とヒンジ結合を形成することによって、前記レバー部材１１５が前記収容部材１１３に対して回転できるようにする。
【０１４７】
前記板ばね部１１５３は、前記レバー部材１１５と一定間隔を維持しつつ前記レバー部材１１５の上端を覆う板状の弾性部材３１５であり、前記レバー部材１１５の回転時に前記レバー部材１１５の内側に後退して前記レバー部材１１５の容易な回転を可能にし、後述するロック状態で前記締結部材１１１を上側に加圧して前記カッティングガイド結合部１１と脛骨切削ガイドＣ間の結合力を提供する役割を担うことができる。好ましくは、前記板ばね部１１５３の上面は曲面で形成され、前記レバー部材１１５の回転を容易にさせることができる。
【０１４８】
前記ハンドル部１１５５は、前記レバー部材１１５から外側方向に延長形成され、施術者にとって少ない力でも前記レバー部材１１５を回転させることができ、施術者が前記レバー部材１１５のロック状態と解除状態を容易に調整できるようにする。好ましくは、前記ハンドル部１１５５の端部の外周面に溝を形成し、施術者の操作時に指が滑る現象を防止することによって、前記ハンドル部１１５５の安定した操作を可能にすることができる。
【０１４９】
前記回転防止段１１５７は、前記板ばね部１１５３のある地点からレバー部材１１５の外側方向に突出形成され、施術者が前記レバー部材１１５を操作しないとき、前記板ばね部１１５３の復原力又は弾性力によるレバー部材１１５の回転を防止する回転止め段の役割を担うことによって、後述するロック状態にあるレバー部材１１５を固定させ、安全な手術を可能にする。
【０１５０】
前記溝部１１５９は、前記板ばね部１１５３と前記回転ボディー部１１５１との間に形成された長い溝であり、前記板ばね部１１５３と前記回転ボディー部１１５１との間に一定の間隔を形成することができる。図１１に示すように、施術者が前記ハンドル部１１５５を下側に操作する場合、前記板ばね部１１５３が前記締結部材１１１を上側に加圧することによって、前記板ばね部１１５３の上部が前記レバー部材収容ホール１１１５ａの上面に掛かって回転が制限されるが、前記溝部１１５９は、板ばね部が下側に降り得る一定の空間を提供することによって、前記レバー部材１１５の容易な回転を可能にすることができる。これによって、前記溝部１１５９の間隔は、後述するカッティングガイド結合部１１の解除状態では広くなり、ロック状態では狭くなる。
【０１５１】
前記密着手段１１７は、好ましくは磁石で構成され、前記収容部材１１３の結合部１１３１の磁石収容溝１１３１ａに挿入され、別の力を加えることなく、後述するカッティングガイド結合部１１の解除状態で自然に前記結合部１１１１，１１３１間の間隔を密着させることができる。
【０１５２】
図８は、本発明のさらに他の実施例に係る脛骨整列装置における上部の結合前の断面図であり、図９は、本発明のさらに他の実施例に係る脛骨整列装置における上部の結合過程時の断面図であり、図１０は、図９のＡ部分の詳細図であり、図１１は、本発明のさらに他の実施例に係る脛骨整列装置における上部の結合後の断面図である。
【０１５３】
以下に、前記部材の結合関係及び前記カッティングガイド結合部１１の結合過程及び解除過程について説明する。図７に示すように、前記締結部材１１１が前記収容部材１１３の締結部材収容ホール１１３３ａの上端に上下にスライディング可能に結合し、前記収容部材１１３の締結部材収容ホール１１３３ａの下端には前記連結部１３の上部棒１３１が連結され、前記締結部材１１１及び収容部材１１３の内部に形成されたレバー部材収容ホール１１１５ａ，１１３３ｂに前記回転可能なレバー部材１１５が挿入されて回転可能に固定されることで、前記カッティングガイド結合部１１を構成できる。
【０１５４】
まず、図８、図９、図１１の順になされる結合過程について説明する。前記脛骨整列装置１と脛骨切削ガイドＣの結合前には、図８に示すように、前記締結部材１１１は前記収容部材１１３の内部に収容され、前記収容部材１１３の結合部１１３１の上面に備えられた密着手段１１７又は磁石によって下側に固定される。これによって、前記締結部材１１１の結合部１１１１と前記収容部材１１３の結合部１１３１との間隔が密着する。
【０１５５】
図９及び図１０を参照すると、施術者は、このように密着手段１１７によって前記結合部１１１１，１１３１間の間隔が密着した状態で前記結合部１１１１，１１３１を脛骨切削ガイドＣの結合スロットＳに挿入する。図１０に示すように、結合過程中に施術者が前記結合部を結合スロットに様々な角度αで容易に挿入及び離脱させ得るようにするために、前記脛骨切削ガイドＣが前記締結部材１１１の結合部１１１１と収容部材１１３の結合部１１３１を収容する内部空間Ｃ１の高さｈは、前記締結部材１１１の結合部１１１１の高さｈ１と前記収容部材１１３の結合部１１３１の高さｈ２を合算した高さ（ｈ１＋ｈ２）より高くてよく、前記レバー部材１１５を下に操作することによって前記締結部１１１の結合部１１１１が上側に最大限に上がった高さｈ３よりは低くてよい。これによって、施術者は、前記カッティングガイド結合部１１と脛骨切削ガイドＣの結合及び分解時に、広い結合及び分解半径αを有することができ、手術の便宜性及び安全性を確保することができる。
【０１５６】
次に、図１１を参照すると、施術者が前記締結部材１１１の結合部１１１１及び収容部材１１３の結合部１１３１を脛骨切削ガイドＣの結合スロットＳに挿入した後、前記レバー部材１１５を下に回転させると、前記板ばね部１１５３が前記締結部材１１１を上側に加圧し、前記締結部材１１１が上側に移動することによって、前記締結部材１１１の結合部１１１１と前記収容部材１１３の結合部１１３１との間隔ｇが広まる。これによって、前記締結部材１１１の結合部１１１１の上側が脛骨切削ガイドＣの結合スロットＳの上面を加圧し、前記カッティングガイド結合部１１は前記脛骨切削ガイドＣに強固に固定されるロック状態となる。
【０１５７】
逆に、前記結合過程の逆順である図１１、図９、図８の順になされる分解過程について説明すると、施術者が前記レバー部材１１５のハンドル部１１５５を上に回転させると、前記板ばね部１１５３の前記締結部材１１１の下面に対する加圧が止まり、これによって前記締結部材１１１が再び下に降り、前記締結部材１１１及び収容部材１１３間の結合部１１１１，１１３１間の間隔が狭くなる。これによって、前記カッティングガイド結合部１１は、施術者が前記結合部１１１１，１１３１を脛骨切削ガイドＣの結合スロットＳから容易に離脱させ得る解除状態となる。このような分解過程においても、上述した結合過程におけると同様に、前記カッティングガイド結合部１１と脛骨切削ガイドＣとの間に広い分解半径を有することができ、前記締結部材１１１及び収容部材１１３の結合部１１１１，１１３１の容易な離脱が可能であると同時に、周辺の手術器具との衝突を防止し、手術の便宜性及び安全性を確保することができる。
【０１５８】
言い換えると、前記カッティングガイド結合部１１は、前記レバー部材１１５のハンドル部１１５５を上下に操作することによって、前記締結部材１１１の結合部１１１１と前記収容部材１１３の結合部１１３１との間隔が広まって脛骨切削ガイドＣと強固に結合するロック状態になるか、前記結合部１１１１，１１３１間の間隔が狭まって前記結合部１１１１，１１３１を脛骨切削ガイドＣの結合スロットＳから様々な角度で脱着できる解除状態になり得、このような簡単な操作でカッティングガイド結合部１１及び脛骨切削ガイドＣ間に結合を形成したり解除することによって、手術の容易性を向上させると同時に、周辺の手術器具との衝突を防止し、安全で正確な手術を可能にすることができる。
【０１５９】
図１２は、本発明のさらに他の実施例に係る脛骨整列装置における上部棒の斜視図であり、図１３は、本発明のさらに他の実施例に係る脛骨整列装置における下部棒の斜視図であり、図１４は、本発明のさらに他の実施例に係る脛骨整列装置における微細調整部の断面図であり、図１５は、本発明のさらに他の実施例に係る脛骨整列装置における微細調整部の使用状態図である。
【０１６０】
図１２〜図１５を参照すると、上述したように、前記連結部１３は上部棒１３１と、下部棒１３３を含むことができ、前記微細調整部１５は、マイクロノブ１５１を含むことができる。
【０１６１】
前記上部棒１３１は、短い円柱状の金属棒であり、一端は、前記収容部材１１３の締結部材収容溝１１３３ａの下端の四角形状に合う四角柱で形成されて前記収容部材１１３と結合し、他端は、前記下部棒１３３の内部空間に合う円柱で形成され、前記下部棒１３３と連結される。前記上部棒１３１は、収容部材挿入部１３１１、ピン溝１３１３、下部棒挿入部１３１５をさらに含むことができる。
【０１６２】
前記収容部材挿入部１３１１は、四角柱状に形成され、前記収容部材１１３の締結部材収容溝１１３３ａの下端に挿入及び固定される。好ましくは、前記収容部材挿入部１３１１は、下側に前記四角柱状を囲む円形の係止段１３１１ａを形成し、前記締結部材１１１と前記上部棒１３１との結合深さを調節することができる。
【０１６３】
前記ピン溝１３１３は、前記上部棒１３１の一端と他端との間に円柱を取り囲む空いた空間の周縁を形成し、前記マイクロノブ１５１のピンホール１５１５に挿入されるピン１５１７と噛み合って、前記上部棒１３１に対して前記マイクロノブ１５１の位置を固定すると同時に、前記マイクロノブ１５１を回転可能に可動的に結合させることができる。
【０１６４】
前記下部棒挿入部１３１５は、前記上部棒１３１の下端に延長形成された円柱状の棒であり、後述するマイクロノブ１５１の回転によって、前記下部棒１３３の上部棒収容部１３３１に上下にスライディング可能に挿入され得る。好ましくは、前記下部棒挿入部１３１５の外側面に下記形状（以下、‘逆コ’状とよぶ）
2021530271.tif 000004
に凹入したスライディング溝１３１５ａを形成し、一定範囲以上のスライディング時に、前記下部棒１３３のピンホール１３３１ａに結合するピン１５１７及びこれによる前記上部棒１３１の移動を制限することによって、前記上部棒１３１のスライディング範囲を制限することができる。
【０１６５】
前記下部棒１３３は、円柱状の長い棒で形成され、一端には、前記上部棒１３１を収容する上部棒収容部１３３１を含むことができ、他端には、前記高さ調節部３１及び前記下部３０の連結部３３に挿入される下部挿入部１３３３を含むことができる。
【０１６６】
前記上部棒収容部１３３１は、前記下部棒１３３の上端に空いた内部空間を形成し、前記上部棒１３１の下部棒挿入部１３１５を収容することができる。前記上部棒収容部１３３１は、前記下部棒１３３の収容部１３３１の外周面を貫通するピンホール１３３１ａを含み、前記ピンホール１３３１ａにピン１３３１ｂを挿入することによって前記上部棒１３１と下部棒１３３を固定すると同時に、前記上部棒のスライディング溝１３１５ａで提供される範囲内で上下にスライディング可能にすることができる。また、前記収容部１３３１の外周面にねじ山１３３１ｃを形成し、後述するマイクロノブ１５１のねじ山１５１１と噛み合って前記上部１０の長さを微細に調整することによって、正確な手術を可能にすることができる。
【０１６７】
前記下部挿入部１３３３は、細い円柱状の棒であり、前記下部３０の高さ調節部３１及び連結部３３に貫通挿入される。好ましくは、前記挿入部１３３３の外側面には、前記下部棒１３３が上下にスライディングされる高さに沿って、後述する接触部３１３５との接触のためのスライディング面１３３３ａをさらに含むことができる。
【０１６８】
前記微細調整部１５は、上述したように、前記上部１０の連結部１３のピン溝１３１３にピン結合可能なマイクロノブ１５１を含むことができる。
【０１６９】
好ましくは、前記マイクロノブ１５１は、図１４に示すように、内周面にねじ山１５１１及び係止段１５１３をさらに含むことができる。より好ましくは、前記マイクロノブ１５１の外部面の上側に、前記上部棒１３１のピン溝１３１３の位置に形成されるピンホール１５１５をさらに含み、前記ピンホール１５１５にピン１５１７を挿入及び固定して前記上部棒１３１と前記マイクロノブ１５１を固定させると同時に、前記マイクロノブ１５１が前記上部棒１３１に対して一定の位置で回転可能にすることができる。より好ましくは、前記マイクロノブ１５１の外周面上に凹凸を形成し、施術者がノブを回転させる時に摩擦力を提供することによって操作の正確性及び便宜性を図ることができる。
【０１７０】
次に、微細調整部１５１の操作による前記脛骨整列装置１の微細な高さ調節について説明する。
【０１７１】
図１４及び図１５に示すように、前記マイクロノブ１５１の一端は、前記上部棒１３１のピン溝１３１３にピン結合によって回転可能に可動的に結合し、他端は、マイクロノブ１５１の内部に形成されたねじ山１５１１によって前記下部棒１３３に連結される。前記上部棒１３１と下部棒１３３は相互にピン１３３１ｂで結合して固定され、前記下部棒挿入部１３３３のスライディング溝１３３３ａの表面に前記ピンホール１５１５に挿入されたピン１５１７が密着することによって、上下スライディング範囲が制限されると同時に、施術者の前記マイクロノブ１５１の操作時に上部棒１３１が共に回転する現象を防止することができる。これによって、前記上部棒１３１と下部棒１３３が安定して固定された状態で施術者がマイクロノブ１５１をゆっくり回転させながら前記脛骨整列装置１の高さを微細に調節し、正確な切断面に関する情報を得ることができる。
【０１７２】
図１６は、本発明のさらに他の実施例に係る脛骨整列装置における第１部材の斜視図であり、図１７は、本発明のさらに他の実施例に係る脛骨整列装置における第２部材の斜視図であり、図１８は、本発明のさらに他の実施例に係る脛骨整列装置における連結部の斜視図であり、図１９は、本発明のさらに他の実施例に係る脛骨整列装置における高さ調節部の斜視図である。
【０１７３】
図１６〜図１９を参照すると、上述したように、前記下部３０は、高さ調節部３１、連結部３３、足首鉗子部３５を含むことができ、前記高さ調節部３１は、第１部材３１１、第２部材３１３、弾性部材３１５を含むことができる。
【０１７４】
前記第１部材３１１は、図１６に示すように、内部に前記上部１０の下部棒１３３が貫通する垂直方向の空いた空間が形成された‘逆コ’状の部材であり、上側には前記上部１０の下部棒１３３が上下にスライディング可能に緩く連結され、下側には前記下部３０の連結部３３の上端が固定され、前記上部１０の下部棒１３３が下にスライディング時に前記下部３０の連結部３３の内部に収容され得るようにすることができる。前記第１部材３１１は、垂直貫通ホール３１１１、水平貫通ホール３１１３、回転結合ホール３１１５、弾性部材収容溝３１１７をさらに含むことができる。
【０１７５】
前記垂直貫通ホール３１１１は、前記‘逆コ’状の第１部材３１１を垂直に貫通する空いた空間であり、前記‘逆コ’状の第１部材の水平方向のボディーを貫通する第１ホール３１１１ａと第２ホール３１１１ｂを含むことができる。
【０１７６】
前記第１ホール３１１１ａは、前記第１部材３１１の上端に垂直方向に貫通形成され、上側から前記上部１０の下部棒１３３の下部挿入部１３３３が挿入されて上下にスライディング可能に前記上部１０の下部棒１３３を収容することができる。
【０１７７】
前記第２ホール３１１１ｂは、前記第１部材３１１の下端に垂直方向に貫通形成され、上側一部には前記下部棒１３３を収容してスライディング可能な程度の空間が形成され、下側一部には前記下部３０の連結部３３の上端と結合するための空いた空間が形成されることによって、前記第２ホール３１１１ｂの内部空間に前記上部１０の下部棒１３３が挿入貫通すると同時に、下端に前記下部３０の連結部３３の上端が結合し得る。
【０１７８】
前記水平貫通ホール３１１３は、前記‘逆コ’状の第１部材３１１を水平に貫通する空いた空間であり、前記第２部材３１３の一端を収容して前記第２部材３１３の回転空間を確保可能にする。
【０１７９】
前記回転結合ホール３１１５は、前記水平貫通ホール３１１３の貫通方向に直交する方向に前記第１部材３１１のボディーを貫通するように形成され、前記第２部材３１３の回転結合部３１３７の回転軸が収容され得る。
【０１８０】
前記弾性部材収容溝３１１７は、‘逆コ’状の下端に内側に凹入した形状に形成され、前記弾性部材３１５の一端を収容して固定させることができる。
【０１８１】
前記第２部材３１３は、図１７に示すように、‘逆Ｌ’状の部材であり、‘逆Ｌ’状の水平方向のボディーには、前記第２部材３１３を垂直に貫通する垂直貫通ホール３１３１が形成され、‘逆Ｌ’状の垂直方向のボディーには、前記第２部材を水平に貫通する水平貫通ホール３１３３が形成され得る。前記第２部材３１３は、接触部３１３５、回転結合部３１３７、ハンドル部３１３９を含むことができる。
【０１８２】
前記垂直貫通ホール３１３１は、前記‘逆Ｌ’状の第２部材３１３を垂直に貫通する空いた空間として形成され、前記上部１０の下部棒１３３を内部に収容する役割を担うことができる。
【０１８３】
前記水平貫通ホール３１３３は、前記‘逆Ｌ’状の第２部材３１３を水平に貫通する空いた空間として形成され、前記‘逆コ’状の第１部材３１１の下部を収容することによって、前記第２部材の回転半径を確保することができる。
【０１８４】
前記接触部３１３５は、前記第２部材３１３の垂直貫通ホール３１３１の外周面上に形成され、前記第２部材３１３が回転することによって前記上部１０の下部棒１３３と接触して摩擦力を形成し、後述するロック状態時に、前記上部１０の下部棒１３３を強固に固定する役割を担うことができる。好ましくは、前記接触部３１３１は前記下部棒１３３の接触面と相補的な形状を有し、前記下部棒１３３を安定的に接触及び固定すると同時に、接触による摩擦力を最大化することができる。
【０１８５】
前記回転結合部３１３７は、前記第２部材３１３をなす‘逆Ｌ’状の上部１０の端部に形成され、前記第１部材３１１の水平貫通ホール３１１３に一部挿入固定されることによって、前記第２部材３１３を回転可能にして前記接触部３１３１と前記上部１０の下部棒１３３との間隔を調節可能にする。
【０１８６】
前記ハンドル部３１３９は、前記第２部材３１３をなす‘逆Ｌ’状の縦部材の外側面に形成され、施術者が前記第２部材３１３を操作して回転させ得るようにする。好ましくは、前記ハンドル部３１３５は、操作の容易性のために、下側に行くほど下端が外側に曲がるように形成され得る。
【０１８７】
前記弾性部材３１５は、図１９に示すように、前記第２部材３１３の水平貫通ホール３１３３の上面に位置して前記第２部材３１３を上側に加圧し、後述するロック状態において前記第２部材３１３と前記上部１０の下部棒１３３とを接触させることによって、前記上部１０の下部棒１３３を固定させ、安全な手術を可能にする。好ましくは、前記弾性部材３１５はバネで構成され得る。
【０１８８】
前記下部３０の連結部３３は、中空の長い円柱であり、一端は前記第１部材３１１の下端に連結及び固定され、他端は前記足首鉗子部３５に連結及び固定され、内部に、上下にスライディングする前記上部１０の下部棒１３３を収容することができる。好ましくは、前記下部３０の連結部３３は、両端に、挿入深さを制限し、固定後に回転を防止するための係止段３３１をさらに含むことができる。
【０１８９】
図２０は、本発明のさらに他の実施例に係る脛骨整列装置における高さ調節部のロック状態時の断面図であり、図２１は、図２０のＢ部分の詳細図であり、図２２は、本発明のさらに他の実施例に係る脛骨整列装置における高さ調節部の解除状態時の断面図である。次に、前記高さ調節部３１の高さ調節過程について説明する。
【０１９０】
上述したように、ボルトやラチェットのメカニズムを採用している従来の装置では正確な位置を取るには限界があるが、本発明である脛骨整列装置１は、前記第２部材３１３の回転によってスライディング可能な前記上部１０の連結部１３と接触を形成したり間隔を形成し、正確な長さ調整及び固定を可能にすることができる。
【０１９１】
図２２を参照すると、施術者が前記第２部材３１３の下端の前記ハンドル部３１３９を下に操作すると、前記接触部３１３５が前記上部１０の下部棒１３３のスライディング面１３３３ａと間隔を形成し、施術者は前記下部棒１３３を上下にスライディングさせて脛骨整列装置１の全体的な高さを調節することができる。逆に、図２０及び図２１に示すように、施術者が前記ハンドル部３１３９を操作しない場合、前記弾性部材３１５によって前記第２部材３１３が上側に加圧されて回転及び固定され、これによって、前記接触部３１３１が前記上部１０の下部棒１３３のスライディング面１３３３ａと接触を形成し、再び前記下部棒１３３が強固に固定される。このような過程は、前記ハンドル部３１３９の簡単な操作によってなされ、他のねじやラチェットを用いた操作方式に比べて遥かに容易な高さ調節を可能にする。
【０１９２】
言い換えると、本発明である脛骨整列装置１の高さ調節部３１は、施術者の操作によって、前記上部１０の下部棒１３３が前記第２部材３１３の接触部３１３１と接触して前記下部棒１３３を固定させるロック状態になるか、前記上部１０の連結部１３と前記第２部材３１３とが間隔を形成して前記上部１０の連結部１３を上下にスライディング可能にさせる解除状態になり得、前記ハンドル部３１３９の簡単な操作によって前記ロック及び解除状態の相互間切替が容易になされることによって、手術の安全性及び便宜性を図ることができる。
【０１９３】
図２３は、本発明のさらに他の実施例に係る脛骨整列装置１の足首鉗子部３５の斜視図である。
【０１９４】
図２３を参照して説明すると、前記足首鉗子部３５は、足首鉗子３５１、足首鉗子連結部３５３、ラチェットボタン３５５、スライディング調整部３５７、連結ボルト３５９、洗浄溝３５５１，３５７１を含むことができる。
【０１９５】
前記足首鉗子３５１は、前記足首鉗子部３５の‘Ｙ’字状の上部と類似な形状を有し、端部に鉤状の部材が回転可能に取り付けられ、治療対象の足首への前記脛骨整列装置１の脱着を可能にする。
【０１９６】
前記足首鉗子連結部３５３は、前記スライディング調整部３５７を貫通する長い棒の形状を有し、一端に前記足首鉗子３５１が連結され、他端には前記連結ボルト３５９が結合して、前記足首鉗子３５１を脛骨整列装置１に連結する。前記足首鉗子連結部３５３は、治療対象の前位又は後位方向にスライディング可能であり、下面には鋸歯状のねじ山が形成され、後述するラチェットボタン３５５内のねじ山と噛み合って前記脛骨整列装置１を移動及び固定させ、前記脛骨整列装置１の結合角度を適度に調節することができる。
【０１９７】
前記ラチェットボタン３５５は、内部空間が形成された四角柱の部材であり、前記スライディング調整部３５７の上面に形成されたホールに挿入され、前記内部空間の底面にはねじ山が形成され、前記足首鉗子連結部３５３のスライディングを調節することができる。前記ラチェットボタン３５５を押下すると、前記足首鉗子連結部３５３とラチェットボタン３５５との間に間隔が形成され、前記足首鉗子連結部３５３が治療対象の前位及び後位方向にスライディング可能になり、前記ラチェットボタン３５５を操作しない場合、前記足首鉗子連結部３５３がラチェットボタン３５５と強固に噛み合って脛骨整列装置１を安定して固定させることができる。好ましくは、前記ラチェットボタン３５５は、器具の洗浄効率を高めるために、前記連結ボルト３５９が挿入される下端の両側面を貫通する洗浄溝３５５１をさらに含むことができる。
【０１９８】
前記スライディング調整部３５７は、前記ラチェットボタン３５５、スライディング連結部及び連結ボルト３５９を取り囲むハウジングの形態で提供され、上端に前記下部３０の連結部３３及び前記ラチェットボタン３５５を収容するための垂直貫通ホールが形成され、側面には前記連結ボルト３５９を収容するための水平貫通ホールが形成され得る。好ましくは、前記スライディング調整部３５７は、前記ラチェットボタン３５５が挿入される両側面に洗浄効率を高めるための洗浄溝３５７１をさらに含むことができる。
【０１９９】
前記連結ボルト３５９は、長い棒状であり、その一端が前記足首鉗子３５１と連結され、前記スライディング調整部３５７、ラチェットボタン３５５を水平に貫通連結して固定するように構成され得る。好ましくは、前記連結ボルト３５９の一端は前記足首鉗子３５１とねじ結合し、他端は回転を容易にするためのノブを具備し、前記足首鉗子部３５を前記脛骨整列装置１に対して容易に結合及び解体可能にすることができる。
【０２００】
以上の詳細な説明は、本発明を例示するものである。また、前述した内容は本発明の好ましい実施形態を図示して説明するものであり、本発明は様々な他の組合せ、変更及び環境における使用が可能である。すなわち、本明細書に開示された発明の概念の範囲、述べられた開示内容と均等な範囲及び／又は当業界における技術又は知識の範囲内で変更又は修正が可能である。前述した実施例は本発明の技術的思想を具現するための最良の状態を説明するものであり、本発明の具体的な適用分野及び用途において要求される様々な変更も可能である。したがって、以上の発明の詳細な説明は、開示された実施状態で本発明を制限しようとする意図ではない。また、添付する特許請求の範囲は、他の実施状態も含むものとして解釈されるべきである。
【図１】
2021530271.tif 000005
【図２】
2021530271.tif 000006
【図３】
2021530271.tif 000007
【図４】
2021530271.tif 000008
【図５】
2021530271.tif 000009
【図６】
2021530271.tif 000010
【図７】
2021530271.tif 000011
【図８】
2021530271.tif 000012
【図９】
2021530271.tif 000013
【図１０】
2021530271.tif 000014
【図１１】
2021530271.tif 000015
【図１２】
2021530271.tif 000016
【図１３】
2021530271.tif 000017
【図１４】
2021530271.tif 000018
【図１５】
2021530271.tif 000019
【図１６】
2021530271.tif 000020
【図１７】
2021530271.tif 000021
【図１８】
2021530271.tif 000022
【図１９】
2021530271.tif 000023
【図２０】
2021530271.tif 000024
【図２１】
2021530271.tif 000025
【図２２】
2021530271.tif 000026
【図２３】
2021530271.tif 000027
【国際調査報告】
2021530271.tif 000028
2021530271.tif 000029
2021530271.tif 000030
2021530271.tif 000031